(57)【要約】【課題】放射ノイズや内部振動伝播を防止する部品を使用することなく、記録パワーのキャリブレーションが必要な場合についてのみ動作ノイズが録音されないように制御する。【解決手段】撮像装置は、メモリ制御部６を備え、当該メモリ制御部６が、操作入力部８の操作により録音開始が指示された場合に、制御部１１ａに対して上記キャリブレーションの可否の判断を要求し、その判断結果に基づいて当該キャリブレーションが必要であると判断した場合には、ドライブ部１０による上キャリブレーションが終了するまではメモリ７のリングバッファへのデータのバッファリングの開始を遅延させるよう制御する。【選択図】      図１
2008287814.tif 000002
【特許請求の範囲】
【請求項１】
画像データ及び音声データの少なくともいずれかのデータがバッファリングされ、記録メディアに記録される撮像装置において、
上記データをバッファリングするための記憶手段と、
上記記憶手段に記憶されたデータを上記記録メディアに記録すると共に、記録パワーのキャリブレーションを実行するドライブ手段と、
上記記録パワーのキャリブレーションの履歴情報を保持する保持手段と、
上記履歴情報に基づいて上記キャリブレーションの可否を判断する判断手段と、
少なくとも録音開始を指示するための操作入力手段と、
上記操作入力手段の操作により録音開始が指示された場合には、上記判断手段に対して上記キャリブレーションの可否の判断を要求し、その判断の結果に基づいて当該キャリブレーションが必要であると判断した場合には、上記ドライブ手段による上記記録パワーのキャリブレーションが終了するまでは上記記憶手段へのデータのバッファリングの開始を遅延させるよう制御するメモリ制御手段とを備えた
ことを特徴とする撮像装置。
【請求項２】
上記メモリ制御手段は、上記キャリブレーションが必要であると判断した場合には、上記ドライブ手段による上記記録パワーのキャリブレーション実行中にバッファリングされたデータを消去して上記ドライブ手段に対して上記記録メディアへの記録を指示する
ことを特徴とする請求項１に記載の撮像装置。
【請求項３】
音声を収録する音声収録手段と、
上記メモリ制御手段が、上記キャリブレーションが必要であると判断した場合に、上記音声収録手段による音声収録の動作をオフし、上記ドライブ手段による上記記録パワーのキャリブレーションが終了すると、当該音声収録の動作をオンするよう制御する制御手段とを備えた
ことを特徴とする請求項１に記載の撮像装置。
【請求項４】
データをバッファリングするステップと、
記録パワーのキャリブレーションの履歴情報を保持するステップと、
録音開始が指示された場合には、上記履歴情報に基づいてキャリブレーションの可否を判断し、その判断の結果に基づいて当該キャリブレーションが必要であると判断した場合には、上記記録パワーのキャリブレーションが終了するまでは上記バッファリングの開始を遅延させるよう制御するステップとを備えた
ことを特徴とするキャリブレーションノイズ除去方法。
【請求項５】
録音開始が指示された場合には、上記履歴情報に基づいてキャリブレーションの可否を判断し、その判断の結果に基づいて当該キャリブレーションが必要であると判断した場合には、上記記録パワーのキャリブレーション実行中にバッファリングされたデータを消去して上記記録メディアへの記録を行うよう制御するステップを備えた
ことを特徴とする請求項４に記載のキャリブレーションノイズ除去方法。
【請求項６】
録音開始が指示された場合には、上記履歴情報に基づいてキャリブレーションの可否を判断し、その判断の結果に基づいて当該キャリブレーションが必要であると判断した場合には、音声収録の動作をオフし、上記記録パワーのキャリブレーションが終了すると、当該音声収録の動作をオンするよう制御するステップを備えた
ことを特徴とする請求項４に記載のキャリブレーションノイズ除去方法。
【発明の詳細な説明】
【技術分野】
【０００１】
本発明は、例えば記録メディアとして光ディスクを用いたカムコーダ装置等の撮像装置及びキャリブレーションノイズ除去方法に関する。
【背景技術】
【０００２】
従来、光ディスクを記録メディアとしたカムコーダ装置等の撮像装置が広く普及しているが、当該カムコーダ装置が動作するときには動作音が放射される。このようなカムコーダ装置は、本体にマイクロフォンが内蔵されている場合が多いことから、これらの動作音による放射ノイズは、何らの措置も講じなければ録音されてしまう。
【０００３】
このような放射ノイズの影響を削減するために、撮像装置が備える光ディスク装置自体が出すノイズの低減を図ったり（例えば特許文献１参照）、放射ノイズが外部からマイクロフォンに伝搬しないように光ディスク装置を被覆するカバーの機密性を向上したり、或いは振動が内部からマイクロフォンに伝わらないように当該マイクロフォンを本体に取り付ける部分にゴム等の振動を遮断する部品を使う等の工夫がなされている。
【０００４】
一方、記録メディアとしての光ディスクにデータを記録する場合には、記録パワーをキャリブレーションする事が一般的に行われる。この記録パワーのキャリブレーションによれば、記録メディアへの記録品質を一定に保つことができる。
【０００５】
ところが、撮像装置の光ディスク装置に光ディスクが挿入された時点では、ユーザが当該光ディスクに記録することを所望しているか否かが不明であり、ＤＶＤ−ＲやＤＶＤ＋Ｒといったライトワンス系の記録メディアでは、記録パワーのキャリブレーション用の領域の繰り返し使用が出来ない事に起因してキャリブレーション回数が制限されるので、録音ボタンが押下されるまでは記録パワーのキャリブレーションは実行しない。
【０００６】
このような状況では、録音ボタンが押下されてから記録パワーのキャリブレーションを実行することになる。一般に、記録パワーのキャリブレーションは、パワーキャリブレーション領域に光ピックアップを移動させてキャリブレーションを行い、終了後、光ピックアップをデータの記録アドレスに移動させて記録することによる。そして、この間の録音データは、メモリ制御部が有するメモリに記録されており、キャリブレーションが終了するまでのデータを記録メディアに後追いで記録することになる。
【０００７】
この場合、パワーキャリブレーション領域では、記録パワーを変えながらデータを記録することになるので、記録メディアの反射率という観点では非常に変化の激しい部分となる。これが起因して、光ディスクサーボの不安定さを招き、動作ノイズが大きくなってしまい、その結果として、動作ノイズがマイクロフォンに伝搬し、録音されてしまうとの事態を招いている。このような動作ノイズが録音されるのを防ぐ目的で、従来は、撮像装置の光ディスク装置の遮蔽を向上させて放射ノイズを防ぎ、振動が内部からマイクロフォンに伝搬しないように、当該マイクロフォンを本体側に取り付ける部分でゴム等の振動を遮断する部品を使う等が行われている。
【０００８】
尚、このような記録パワーのキャリブレーションに関わらず、記録開始時の動作ノイズを除去する従来技術としては、特許文献２，３に開示された技術がある。
【０００９】
これら技術では、記録開始時に発生するテープレコーダの機械的な動作ノイズが録音されるのを防ぐ目的で、マイクがオンするタイミングを意図的に遅延させている。
【００１０】
【特許文献１】特開２００４−１５２３６２号公報
【特許文献２】実開昭５５−９７８４９号公報
【特許文献３】実開昭５５−３６４９５号公報
【発明の開示】
【発明が解決しようとする課題】
【００１１】
しかしながら、光ディスクを記録メディアとして用いたカムコーダ装置等の撮像装置では、当該光ディスクを装着した状態で電源をオフ／オンした場合には、以前の記録パワーのキャリブレーション結果を内部に保持して以後の動作の可否判断を行うことが行われているため、記録パワーのキャリブレーションは実施されず、録音動作を行っても動作ノイズは記録されないが、録音開始のタイミングを記録パワーのキャリブレーションの可否に基づいて制御するとの観点からの工夫は何らなされていない。
【００１２】
一方で、前述した特許文献２，３に開示されたようなテープレコーダに係る従来技術では、条件によらずマイクロフォンのオンのタイミングを遅延させるので、場合によらず記録開始タイミングを遅らせてしまうことになる。従って、記録応答時間の商品性が損なわれる事態を招く場合があった。
【００１３】
そこで、本発明は、放射ノイズや内部振動伝播を防止する部品を使用することなく、記録パワーのキャリブレーションが必要な場合についてのみ動作ノイズが録音或いは記録されないように制御することを課題とする。
【課題を解決するための手段】
【００１４】
本発明の第１の観点による撮像装置は、画像データ及び音声データの少なくともいずれかのデータがバッファリングされ、記録メディアに記録される撮像装置において、記憶手段が上記データをバッファリングし、ドライブ手段が上記記憶手段に記憶されたデータを上記記録メディアに記録すると共に、記録パワーのキャリブレーションを実行し、保持手段が記録パワーのキャリブレーションの履歴情報を保持し、判断手段が上記履歴情報に基づいて上記キャリブレーションの可否を判断する。そして、少なくとも録音開始を指示するための操作入力手段の操作により録音開始が指示された場合、メモリ制御手段が、上記判断手段に対して上記キャリブレーションの可否の判断を要求し、その判断の結果に基づいて当該キャリブレーションが必要であると判断した場合には、上記ドライブ手段による上記記録パワーのキャリブレーションが終了するまでは上記記憶手段へのデータのバッファリングの開始を遅延させるよう制御する。
【００１５】
従って、記録パワーのキャリブレーション期間中のデータが、記憶手段へのバッファリングの対象から除外されることになる。
【００１６】
なお、この第１の観点において、キャリブレーションが必要であると判断した場合には、上記ドライブ手段による上記記録パワーのキャリブレーション実行中にバッファリングされたデータを消去して上記ドライブ手段に対して上記記録メディアへの記録を指示するようにしてもよい。或いは、キャリブレーションが必要であると判断した場合には上記音声収録手段による音声収録の動作をオフし、上記ドライブ手段による上記記録パワーのキャリブレーションが終了すると、当該音声収録の動作をオンするよう制御してもよい。
【００１７】
本発明の第２の観点によるキャリブレーションノイズ除去方法では、データをバッファリングし、記録パワーのキャリブレーションの履歴情報を保持し、録音開始が指示された場合には、上記履歴情報に基づいてキャリブレーションの可否を判断し、その判断の結果に基づいて当該キャリブレーションが必要であると判断した場合、上記記録パワーのキャリブレーションが終了するまでは上記バッファリングの開始を遅延させるよう制御する。
【００１８】
従って、記録パワーのキャリブレーション期間中のデータが、バッファリングの対象から除外されることになる。
【００１９】
なお、この第２の観点において、キャリブレーションが必要であると判断した場合、上記記録パワーのキャリブレーション実行中にバッファリングされたデータを消去して上記記録メディアへの記録を行うよう制御してもよい。或いは、キャリブレーションが必要であると判断した場合には、音声収録の動作をオフし、上記記録パワーのキャリブレーションが終了すると、当該音声収録の動作をオンするよう制御してもよい。
【発明の効果】
【００２０】
本発明によれば、放射ノイズや内部振動伝播を防止する部品を使用することなく、記録パワーのキャリブレーションが必要な場合についてのみ動作ノイズが録音或いは記録されないように制御する撮像装置及びキャリブレーションノイズ除去方法を提供することができる。
【発明を実施するための最良の形態】
【００２１】
以下、図面を参照して、本発明を実施するための最良の実施の形態（以下、単に実施の形態と称する）について詳細に説明する。
【００２２】
本発明の一実施の形態に係る撮像装置は、光ディスクを用いたカムコーダ装置等に適用可能なものであり、録音開始時の記録パワーのキャリブレーションの動作ノイズが録音されないように、当該キャリブレーション実行時のみ録音タイミングを可変制御することを特徴の一つとするものである。キャリブレーション実行が不要な場合は、録音を開始するので、不必要に録音開始が遅れるということもない。以下、詳述する。
【００２３】
図１には本発明の一実施の形態に係る撮像装置の構成を示し説明する。
【００２４】
この図１に示されるように、この撮像装置は、カメラ制御部１、動画圧縮部２、マイク制御部３、音声圧縮部４、混合部５、メモリ制御部６、メモリ７、操作入力部８、ＵＩ(User Interface)部９、ドライブ部１０を備えている。ドライブ部１０は、更に光ディスクドライブ１１と不揮発性メモリ１２を備え、光ディスクドライブ１１は制御部１１ａを有する。ここでは、簡略化のために図示を省略しているが、カメラ制御部１は、レンズや絞りなどの光学系及びＣＣＤ(Charge Coupled Device)やＣＭＯＳ(Complementary Metal-Oxide Semiconductor)センサ等の撮像素子、入力インタフェース等を概念上含む。マイク制御部３は、マイクロフォン及び入力インタフェース等を概念上含む。
【００２５】
不揮発性メモリ１２は、例えば記録パワーのキャリブレーションの過去の履歴情報を保持する保持手段として機能するものである。そして、光ディスクドライブ１１の制御部１１ａは、例えば当該不揮発性メモリ１２の履歴情報を参照して、記録パワーのキャリブレーションの実行の可否を判断する判断手段として機能するものである。
【００２６】
このような構成において、操作入力部８に概念上含まれるパワースイッチがオンされ電源が投入されると、ＵＩ部９は各部を起動する。その後、操作入力部８に概念上含まれる録音ボタンがユーザにより操作され、録音準備が指令されると、ＵＩ部９は、カメラ制御部１、マイク制御部３、動画圧縮部２、音声圧縮部４、混合部５、メモリ制御部６、ドライブ部１０の各部を、それぞれを動作させることになる。
【００２７】
即ち、カメラ制御部１は、レンズより入力された被写体像を撮像素子で撮像し、撮像信号をデジタルの画像データに変換した後、入力インタフェースを介して動画圧縮部２に供給する。動画圧縮部２は、この画像データを所定方式で圧縮符号化して、この圧縮符号化された画像データを混合部５に供給する。尚、この圧縮符号化の方式としては、例えばＭＰＥＧ(Moving Picture Experts Group)２方式等を採用できる。
【００２８】
一方、マイク３制御部は、内蔵されたマイクロフォンより入力された音声信号をデジタルの音声データに変換した後、入力インタフェースを介して音声圧縮部４に音声データを供給する。音声圧縮部４は、この音声データを所定の方式で圧縮符号化して、この圧縮符号化された音声データを混合部５に供給する。尚、この圧縮符号化の方式としては、例えばＡＣ３(Audio Code Number 3 (Dolby Digital（商標）)方式等を採用できる。
【００２９】
混合部５は、動画圧縮部２から供給された圧縮符号化後の画像データ、並びに音声圧縮部４から供給された圧縮符号化後の音声データを受け、両者が時系列で同期が取れるように混合し、メモリ制御部６に供給する。例えば、混合部５は、画像データ及び音声データをＭＰＥＧ２のシステムストリーム方式として多重化し、メモリ制御部６に供給する。
【００３０】
メモリ制御部６は、混合部５より受け取ったデータをメモリ７に蓄積し、記録メディアに記録した際に動画再生に必要となる管理データを付加しつつ、ドライブ部１０の準備が完了するまで待機する。この「管理データ」とは、動画データと音声データが一連の記録すべきデータの中でいかに配置されているかを示すようなもの、記録メディア上に記録した動画データにタイトルを付したもの、これらタイトルをまとめてインデックス情報にしたもの等である。但し、これらに限定されないことは勿論である。
【００３１】
メモリ７内はリングバッファの構造となっており、ドライブ部１０の準備完了前に当該リングバッファがあふれた場合には古いデータに新しいデータを上書きしていく。
【００３２】
一般に、動画及び音声の圧縮後の単位時間当たりのデータとドライブ部１０が記録再生できる単位時間あたりのデータ量とを比較すると、ドライブ部１０の処理できるデータ量の方が多くなるように設計されている。このように設計することで、一旦、ドライブ部１０の記録準備が完了し、記録が開始された後には、当該リングバッファ上で古いデータが新しいデータによって上書きされることなないことが補償されることになる。
【００３３】
一方、光ディスクをドライブ部１０に挿入すると、ドライブ部１０により光ディスクの認識処理が行われる。この時、光ディスクの有無、種別等の判別処理が行われ、ディスク毎に必要な調整処理が行われる。これらの一連の動作が終了すると、ドライブ部１０はデータの記録・再生の準備ができたと判断し、メモリ制御部６に通知する。
【００３４】
メモリ制御部６は、ドライブ部１０の準備が完了するまでに受けたデータはリングバッファ上に上書きすることによって適宜メモリ７より消去していくが、ドライブ部１０の準備が完了に係る通知を受けた後、ユーザにより操作入力部８の録音ボタンが操作されＵＩ部９より録音開始の命令を受けると、速やかに記録処理を開始する。即ち、ドライブ部１０の光ディスクドライブ１１にデータを供給する。ここで、録音開始の指示がなされてから記録開始までの時間、つまり記録応答時間が商品性として他社製品と差別化を図る一つの手段となり得る。そのため、記録応答時間が短ければ短いほど好ましい。
【００３５】
光ディスクにデータを記録する場合には、記録パワーをキャリブレーションする処理が実行される。これにより、メディアへの記録品質を一定に保つものである。
【００３６】
但し、ドライブ部１０に光ディスクが挿入された時点では、記録が所望されているか否かが不明であり、特にＤＶＤ−ＲやＤＶＤ＋Ｒといったライトワンス系の記録メディアでは記録パワーのキャリブレーション用の領域の繰り返し使用ができない事に起因して、キャリブレーション回数が限られる為に、操作入力部８に概念上含まれる録音ボタンが押下されるまでは記録パワーのキャリブレーションは実行しない。
【００３７】
そして、操作入力部８の録音ボタンが押下されると、ＵＩ部９からの指令を受けて、ドライブ部１０が記録パワーのキャリブレーションを実行する。
【００３８】
この記録パワーのキャリブレーションは、光ディスクのパワーキャリブレーション領域に光ピックアップを移動させてキャリブレーションを行い、その終了後に当該光ピックアップをユーザデータの記録アドレスに移動させて記録することによる。この間の録音に係るデータは、メモリ制御部６の制御の下、メモリ７に蓄積されているため、キャリブレーション終了までのデータを記録メディアに後追いで記録する形となる。
【００３９】
この記録パワーのキャリブレーションについては、メモリ制御部６からの問い合わせを受けて、ドライブ部１０の光ディスクドライブ１１の制御部１１ａが、不揮発性メモリ１２に保持されている記録パワーのキャリブレーションの過去の履歴を参照し、実行の可否を判断し、その結果をメモリ制御部６に通知することになる。
【００４０】
以下、図２のフローチャートを参照して、本発明の一実施の形態に係る撮像装置による処理を詳細に説明する。尚、以下の処理の一部或いは全部は本発明の一実施の形態に係るキャリブレーションノイズ除去方法にも相当する。
【００４１】
前提として、光ディスクをドライブ部１０に挿入した際、ドライブ部１０が前述したような光ディスクの認識処理を実行する。尚、ドライブ部１０の光ディスクドライブ１１の制御部１１ａは、光ディスクが挿入される度に不揮発性メモリ１２の記録パワーのキャリブレーションの履歴情報をクリアする。また、制御部１１ａは、記録パワーのキャリブレーションが実行された場合には、その履歴を不揮発性メモリ１２に記憶しておく。このように不揮発性メモリ１２を用いているので、履歴は電源がオフされても消去されない。従って、光ディスクを装着した状態で、電源が一旦オフ／オンされた場合であっても、その履歴が残るため、不要なキャリブレーションは実施されない。
【００４２】
その後、ユーザにより操作入力部８の録音ボタンが押下されると、ＵＩ部９はカメラ制御部１、マイク制御部３、動画圧縮部２、音声圧縮部４、混合部５の各部に動作開始命令を出した後、メモリ制御部６にバッファリング開始命令を出す（ステップＳ１）。
【００４３】
このバッファリング開始命令を受けると、メモリ制御部６は混合部５より受けた画像データ及び音声データが多重化されたデータをメモリ７上に構築したリングバッファに蓄積しつつ、つまりバッファリングを開始し（ステップＳ２）、ドライブ部１０に対し、記録パワーのキャリブレーションが必要か否かを問い合わせる（ステップＳ３）。
【００４４】
ドライブ部１０は、メモリ制御部６から記録パワーのキャリブレーションの必要有無の問い合わせを受けると、不揮発性メモリ１２に記憶してある記録パワーのキャリブレーションの履歴情報を参照して、当該キャリブレーションの可否を判断し、その結果（必要有無情報という）をメモリ制御部６に通知する（ステップＳ４）。
【００４５】
メモリ制御部は、ドライブ部１０より受けた記録パワーのキャリブレーションの必要有無情報に基づいて記録パワーのキャリブレーションの可否を認識し（ステップＳ５）、必要な場合には（ステップＳ５をＹｅｓに分岐）、ドライブ部１０に対してキャリブレーションの実行を命令する（ステップＳ６）。一方、必要でない場合には（ステップＳ５をＮｏに分岐）、当該命令を行うことなく、バッファリングを継続する。
【００４６】
このメモリ制御部からの命令を受けると、ドライブ部１０は、記録パワーのキャリブレーションを開始し（ステップＳ７）、当該キャリブレーションを終了すると（ステップＳ８）、キャリブレーション終了の旨をメモリ制御部６に通知する（ステップＳ９）。
【００４７】
この通知を受けた後、メモリ制御部６はバッファリングを終了すると（ステップＳ１０）、メモリ７に記憶されたデータから、記録パワーのキャリブレーションに必要な時間分のデータを消去して、消去後のデータをドライブ部１０に送り、記録を行うように命令する（ステップＳ１１）。この命令を受けると、ドライブ部１０は、光ディスクへのデータの書き込み処理を行う（ステップＳ１２）。こうして、バッファリング期間中にバッファリングされたデータから、キャリブレーション期間中にバッファリングされたデータ分を消去して、光ディスクへのデータの書き込み処理を行い、キャリブレーションノイズ除去に係る一連の処理を終了することになる。
【００４８】
次に、前述した処理（図２）の改良例について更に言及する。
【００４９】
以下、図３のフローチャートを参照して、本発明の一実施の形態に係る撮像装置による他の処理を詳細に説明する。尚、以下の他の処理の一部或いは全部は、本発明の一実施の形態に係るキャリブレーションノイズ除去方法にも相当する。
【００５０】
この改良例は、ドライブ部１０より記録パワーのキャリブレーション終了の通知を受けるまでは、メモリ制御部６が、メモリ７のリングバッファにデータをバッファリングしないように制御する点で前述した処理と相違する。以下、詳述する。
【００５１】
前提事項については、前述した図２と同様であるので、重複した説明は省略する。
【００５２】
さて、ユーザにより操作入力部８の録音ボタンが押下されると、ＵＩ部９はカメラ制御部１、マイク制御部３、動画圧縮部２、音声圧縮部４、混合部５の各部に動作開始命令を出した後、メモリ制御部６にバッファリング開始命令を出す（ステップＳ２１）。
【００５３】
このバッファリング開始命令を受けると、メモリ制御部６は、ドライブ部１０に対して記録パワーのキャリブレーションが必要か否かを問い合わせる（ステップＳ２２）。つまり、この改良例では、このタイミングでは、バッファリングを開始しない。
【００５４】
ドライブ部１０は、メモリ制御部６から記録パワーのキャリブレーションの必要有無の問い合わせを受けると、不揮発性メモリ１２に記憶したある記録パワーのキャリブレーションの履歴情報を参照して、当該キャリブレーションの可否を判断し、その結果（必要有無情報という）をメモリ制御部６に通知する（ステップＳ２３）。
【００５５】
この通知を受けると、メモリ制御部は、ドライブ部１０より受けた必要有無情報に基づいて記録パワーのキャリブレーションの可否を認識し（ステップＳ２４）、必要な場合には（ステップＳ２４をＹｅｓに分岐）、ドライブ部１０に対してキャリブレーションの実行を命令する（ステップＳ２５）。一方、必要でない場合には（ステップＳ２４をＮｏに分岐）、当該命令を行うことなく、ステップＳ２９に移行する。
【００５６】
メモリ制御部６からの命令を受けると、ドライブ部１０は、記録パワーのキャリブレーションを開始し（ステップＳ２６）、当該キャリブレーションを終了すると（ステップＳ２７）、キャリブレーション終了の旨をメモリ制御部６に通知する（ステップＳ２８）。
【００５７】
この通知を受けると、メモリ制御部６は、メモリ７のリングバッファへのデータのバッファリングを開始し（ステップＳ２９）、当該バッファリングを終了すると（ステップＳ３０）、バッファリングされたデータをドライブ部１０に送り、記録を行うように命令する（ステップＳ３１）。この命令を受けると、ドライブ部１０は、光ディスクへのデータの書き込み処理を行う（ステップＳ３２）。こうして、バッファリング期間中を調整することで記録パワーのキャリブレーション期間中の動作ノイズの影響を排除する。こうして、キャリブレーションノイズ除去に係る一連の処理を終了することになる。
【００５８】
以下、図４のフローチャートを参照して、本発明の一実施の形態に係る撮像装置による更に他の処理を詳細に説明する。尚、以下の更に他の処理の一部或いは全部は、本発明の一実施の形態に係るキャリブレーションノイズ除去方法にも相当する。
【００５９】
この改良例は、マイク制御部３におけるマイクのオンのタイミングを遅延させることにより、画像は録画し、録音のタイミングのみ遅延させるよう制御するものである。
【００６０】
前提事項については、前述した図２と同様であるので、重複した説明は省略する。
【００６１】
ステップＳ４１乃至Ｓ４６までの処理は、図２のステップＳ１乃至Ｓ６までの処理と同様であるので、ここでは重複した説明は省略する。
【００６２】
ステップＳ４６にて、キャリブレーションの実行を指示した後、メモリ制御部６はＵＩ部９に対してマイク制御部３に概念上含まれるマイクロフォンをオフするように命令する（ステップＳ４７）。この命令を受けると、ＵＩ部９は、マイク制御部３のマイクロフォンをオフするように制御する（ステップＳ４８）。
【００６３】
ステップＳ４９乃至Ｓ５１までの処理は、図２のステップＳ７乃至Ｓ９までの処理と同様であるので、ここでは重複した説明は省略する。
【００６４】
メモリ制御部６は、ドライブ部１０からのキャリブレーション終了の旨を受けると、メモリ制御部６はＵＩ部９に対してマイク制御部３に概念上含まれるマイクロフォンをオンするように命令する（ステップＳ５２）。この命令を受けると、ＵＩ部９は、マイク制御部３のマイクロフォンをオンするように制御する（ステップＳ５３）。
【００６５】
こうして、メモリ制御部６がバッファリングを終了すると（ステップＳ５４）、バッファリングされたデータをドライブ部１０に送り、記録を行うように命令する（ステップＳ５５）。この命令を受けると、ドライブ部１０は、光ディスクへのデータの書き込み処理を行う（ステップＳ５６）。こうして、マイク制御部３のマイクロフォンの状態をオン／オフ制御することで、記録パワーのキャリブレーション期間中の動作ノイズの影響を排除する。こうして、キャリブレーションノイズ除去に係る一連の処理を終了する。
【００６６】
以上説明したように、本発明によれば、記録パワーのキャリブレーションが必要な場合にはその動作ノイズが録音或いは記録されるのを防止することができ、不要な場合には従来通り速やかな記録動作を行うことができる。その際、動作ノイズが録音されるのを防ぐ目的で従来装置に付加されていた、放射ノイズ遮蔽用の部品や、マイクに振動が伝播するのを防ぐ防振用の部品が不要となる。
【００６７】
以上、本発明の実施の形態について説明したが、本発明はこれに限定されることなくその趣旨を逸脱しない範囲で種々の改良・変更が可能であることは勿論である。
【００６８】
例えば、前述した実施の形態では、撮像装置への適用例を挙げて説明したが、撮像機能を備え、光ディスクを記録メディアとして採用する各種の装置に適用可能である。
【図面の簡単な説明】
【００６９】
【図１】本発明の一実施の形態に係る撮像装置の構成を示す図。
【図２】本発明の一実施の形態に係る撮像装置によるキャリブレーションノイズ除去に係る処理を説明するフローチャート。
【図３】本発明の一実施の形態に係る撮像装置によるキャリブレーションノイズ除去に係る他の処理を説明するフローチャート。
【図４】本発明の一実施の形態に係る撮像装置によるキャリブレーションノイズ除去に係る更に他の処理を説明するフローチャート。
【符号の説明】
【００７０】
１…カメラ制御部、２…動画圧縮部、３…マイク制御部、４…音声圧縮部、５…混合部、６…メモリ制御部、７…メモリ、８…操作入力部、９…ＵＩ部、１０…ドライブ部、１１…光ディスクドライブ、１１ａ…制御部、１２…不揮発性メモリ
【図１】
2008287814.tif 000003
【図２】
2008287814.tif 000004
【図３】
2008287814.tif 000005
【図４】
2008287814.tif 000006